(57)【要約】  圧縮式充電装置であって、シガレットケース充電部分と喫煙具充電部分とを含み、その中で、シガレットケース充電部分は、正極電極蓋（１）、正極バネ（６）、負極バネ（５）、充電絶縁カバー（７）、及びプリント基板（８）を含み、その中で、喫煙具充電部分は、フィルタ挟持台（９）、充電ベース（１１）、及び絶縁固定カバー（１０）を含む。該圧縮式充電装置は、喫煙具を充電し、負極バネと正極バネが装置を押し上げて通電作用と押し上げの二重の作用をもたらす。【選択図】図１
2019533972.tif 000002
【特許請求の範囲】
【請求項１】
圧縮式充電装置であって、シガレットケース充電部分と喫煙具充電部分とを含み、
シガレットケース充電部分は、正極電極蓋（１）であって、上部が円柱形状であり、下部が円筒形状である、正極電極蓋（１）、正極電極柱（２）であって、上部が前記正極電極蓋（１）の下部円筒形状内に位置する、正極電力柱（２）、正極バネ（６）であって、バネキャップ（３）内に位置し、その上部が前記正極電極柱（２）の下表面と接続し、その下部が充電バネ台（４）と相互に接続し、前記充電バネ台（４）がシガレットケース電源の正極にアクセスする、正極バネ（６）、負極バネ（５）であって、シガレットケース電源の負極にアクセスする、負極バネ（５）、充電絶縁カバー（７）であって、前記充電バネ台（４）と前記負極バネ（５）との間に位置する、充電絶縁カバー（７）、プリント基板（８）であって、前記充電バネ台（４）、前記負極バネ（５）、及び前記充電絶縁カバー（７）と共に接続されている、プリント基板（８）を含み、
喫煙具充電部分は、フィルタ挟持台（９）であって、喫煙具の正極にアクセスし、全体が円筒形状であり、下表面が前記正極電極蓋（１）と相互に適合する、フィルタ挟持台（９）、充電ベース（１１）であって、喫煙具の負極にアクセスし、全体が円筒形状であり、下表面が前記負極バネ（５）の上表面と相互に適合する、充電ベース（１１）、絶縁固定カバー（１０）であって、前記フィルタ挟持台（９）と前記充電ベース（１１）との間に位置する、絶縁固定カバー（１０）を含む、ことを特徴とする、圧縮式充電装置。
【請求項２】
前記充電バネ台（４）と前記負極バネ（５）が共に前記プリント基板（８）とハンダ接続されている、ことを特徴とする、請求項１に記載の圧縮式充電装置。
【請求項３】
前記正極電極蓋（１）が前記正極電極柱（２）と圧着されている、ことを特徴とする、請求項１に記載の圧縮式充電装置。
【請求項４】
前記バネキャップ（３）が前記充電バネ台（4）と圧着されている、ことを特徴とする、請求項１に記載の圧縮式充電装置。
【請求項５】
前記正極電極蓋（１）の下部が前記バネキャップ（３）内に挿入され、且つ前記バネキャップ（３）の上部内の凸縁が前記正極電極蓋（１）の下部凸縁と相互に適合している、ことを特徴とする、請求項１に記載の圧縮式充電装置。
【発明の詳細な説明】
【技術分野】
【０００１】
本発明は、電子たばこの分野に属し、具体的には、圧縮式充電装置に関する。
【背景技術】
【０００２】
既存のシガレットケース充電装置は接触式であり、シガレットケース内のプリント基板が正負の電極の接触点を引き出し、シガレットケースを閉じたときに、シガレットケース内の弾性物体が喫煙具を押圧し、喫煙具とシガレットケースの接触面の正負の電極の接触点を完全に接触させて充電を実行する。
【発明の概要】
【０００３】
本発明は既存の接触式シガレットケース充電装置を基礎として、圧縮式充電装置を開発し、該装置は、シガレットケース充電部分と喫煙具充電部分とを含み、
シガレットケース充電部分は、正極電極蓋１であって、上部が円柱形状であり、下部が円筒形状である、正極電極蓋１、正極電極柱２であって、上部が前記正極電極蓋１の下部円筒形状内に位置する、正極電力柱２、正極バネ６であって、バネキャップ３内に位置し、その上部が前記正極電極柱２の下表面と接続し、その下部が充電バネ台４と相互に接続し、前記充電バネ台４がシガレットケース電源の正極にアクセスする、正極バネ６、負極バネ５であって、シガレットケース電源の負極にアクセスする、負極バネ５、充電絶縁カバー７であって、前記充電バネ台４と前記負極バネ５との間に位置する、充電絶縁カバー７、プリント基板８であって、前記充電バネ台４、前記負極バネ５、及び前記充電絶縁カバー７と共に接続されている、プリント基板８を含み、
喫煙具充電部分は、フィルタ挟持台９であって、喫煙具の正極にアクセスし、全体が円筒形状であり、下表面が前記正極電極蓋１と相互に適合する、フィルタ挟持台９、充電ベース１１であって、喫煙具の負極にアクセスし、全体が円筒形状であり、下表面が前記負極バネ５の上表面と相互に適合する、充電ベース１１、絶縁固定カバー１０であって、前記フィルタ挟持台９と前記充電ベース１１との間に位置する、絶縁固定カバー１０を含む。
【０００４】
好ましくは、前記充電バネ台４と前記負極バネ５が共に前記プリント基板８とハンダ接続されている。
【０００５】
好ましくは、前記正極電極蓋１が前記正極電極柱２と圧着されている。
【０００６】
好ましくは、前記バネキャップ３が充電バネ台４と圧着されている。
【０００７】
好ましくは、前記正極電極蓋１の下部が前記バネキャップ３内に挿入され、且つ前記バネキャップ３の上部内の凸縁が前記正極電極蓋１の下部凸縁と相互に適合している。
【０００８】
本発明の圧縮式充電装置の稼働原理の下では、
シガレットケースの充電バネ台４と負極バネ５が充電絶縁カバー７を介して隔離されそれぞれ正負極に導入され、プリント基板８が負極バネ５と充電バネ台４にハンダ接続されており、喫煙具のフィルタ挟持台９と充電ベース１１が絶縁固定カバー１０を介して隔離されそれぞれ正負極にアクセスしている。
【０００９】
喫煙具がシガレットケース内に配置されたときに、シガレットケースの蓋は喫煙具を圧縮し、喫煙具のフィルタ挟持台９がシガレットケースの正極電極蓋１の表面と接触し、正極電極蓋１が正極電極柱２を押圧し、正極電極柱２と正極バネ６が充電バネ台４に挿入され、共にバネキャップ３を介して充電バネ台４を押圧し、正極ばね６が圧縮された状態になり、喫煙具の正極がシガレットケースと導通し、喫煙具の充電ベース１１が負極バネ５の表面と接触し且つ負極バネ５を圧縮し、喫煙具の負極がシガレットケースと導通し、これによって、喫煙具が充電される。
【００１０】
シガレットケースの蓋を開いたときに、シガレットケースの負極バネ５は喫煙具を押し上げ、喫煙具のフィルタ挟持台９がシガレットケースの正極電極蓋１の表面と分離し、喫煙具の正極がシガレットケースと導通しなくなり、喫煙具をシガレットケース内から取り出すことができる。
【００１１】
本発明の有益な効果は、
既存の接触式充電装置を基礎として、本発明は先ず喫煙具を充電するために用いられる圧縮式充電装置を開発して、負極バネと正極バネが装置を押し上げて通電作用と押し上げの二重の作用をもたらすことである。
【図面の簡単な説明】
【００１２】
【図１】本発明のシガレットケース充電部分を示す図である。
【図２】本発明の喫煙具充電部分を示す図である。
【図３】本発明のシガレットケース充電部分の圧縮状態（充電状態）を示す図である。
【発明を実施するための形態】
【００１３】
喫煙具がシガレットケース内に配置されたときに、シガレットケースの蓋は喫煙具を圧縮し、喫煙具のフィルタ挟持台９がシガレットケースの正極電極蓋１の表面と接触し、正極電極蓋１が正極電極柱２を押圧し、正極電極柱２と正極バネ６が充電バネ台４に挿入され、共にバネキャップ３を介して充電バネ台４を押圧し、正極ばね６が圧縮された状態になり、喫煙具の正極がシガレットケースと導通し、喫煙具の充電ベース１１がシガレットケースの負極バネ５を圧縮し、喫煙具の負極がシガレットケースと導通し、これによって、喫煙具が充電される。
【００１４】
シガレットケースの蓋を開いたときに、シガレットケースの負極バネ５は喫煙具を押し上げ、喫煙具のフィルタ挟持台９がシガレットケースの正極電極蓋１の表面と分離し、喫煙具の正極がシガレットケースと導通しなくなり、喫煙具をシガレットケース内から取り出すことができる。
【符号の説明】
【００１５】
１：正極電極蓋
２：正極電柱
３：バネキャップ
４：充電バネ台
５：負極バネ
６：正極バネ
７：充電絶縁カバー
８：プリント基板
９：フィルタ挟持台
１０：絶縁固定カバー
１１：充電ベース
【図１】
2019533972.tif 000003
【図２】
2019533972.tif 000004
【図３】
2019533972.tif 000005
【国際調査報告】
2019533972.tif 000006
2019533972.tif 000007
2019533972.tif 000008
2019533972.tif 000009